(57)【特許請求の範囲】
【請求項１】
回転駆動部と、歯車機構と、各弁端部位置の駆動装置を電気的に非作動にするためのスイッチと、を備える前記駆動装置によって、加熱装置のための切換弁を並進作動させるための方法であって、
前記駆動装置は、前記切換弁の弁作動棒に対して、時間に対し非線形の変位をする運動及び／又は力に対し非線形の変位をする挙動を作用させ、
前記歯車機構はスライダ／クランク機構又はカム機構として構成され、前記カム機構には、弁作動棒に力を伝達するためのカムディスク及びタペットが設けられていることを特徴とする切換弁の並進作動方法。
【請求項２】
前記駆動装置は、両方向力発生部として設計され、連結点によって、前記切換弁の前記弁作動棒に対して、両方向に、時間に対し非線形の変位をする運動又は力に対し非線形の変位をする挙動を作用させることを特徴とする、請求項１に記載の切換弁の並進作動方法。
【請求項３】
回転駆動部と、歯車機構と、各弁端部位置の駆動装置を電気的に非作動にするためのスイッチとを備える、加熱装置のための切換弁を並進作動させるための前記駆動装置であって、
前記回転駆動部、前記歯車機構、及び前記スイッチは、ベースに配置され、
前記歯車機構は、回転運動を直線運動に変換して、前記回転駆動部の連続運動時に、前記歯車機構の並進移動出力によって、運動の両方向に、時間に対し非線形の変位をする運動又は力に対し非線形の変位をする挙動を生じさせるように構成され、
前記歯車機構はスライダ／クランク機構又はカム機構として構成され、前記カム機構には、弁作動棒に力を伝達するためのカムディスク及びタペットが設けられていることを特徴とする、加熱装置のための切換弁の並進作動のための駆動装置。
【請求項４】
ばね部材が、前記歯車機構に配置されて、前記並進移動出力の連結点の位置が、前記弁作動棒からの反動力によって可変であるようになっていることを特徴とする、請求項３に記載の、加熱装置のための切換弁の並進作動のための駆動装置。
【請求項５】
回転運動を直線運動に変換するための前記歯車機構は、前記スライダ／クランク機構として構成され、
前記回転駆動部によって、クランク輪が駆動され、前記弁作動棒は、ロッカアーム及び連結点によって並進移動され、
前記ロッカアームの枢支点の位置は、力の作用としてばね部材によって可変であることを特徴とする、請求項３又は４に記載の、加熱装置のための切換弁の並進作動のための駆動装置。
【請求項６】
回転運動を直線運動に変換するための前記歯車機構は、前記スライダ／クランク機構として設計され、
前記回転駆動部によって、クランク輪が駆動され、前記弁作動棒は、弾性ロッカアーム及び連結点によって並進移動されることを特徴とする、請求項３又は４に記載の、加熱装置のための切換弁の並進作動のための駆動装置。
【請求項７】
機械的位置インジケータが外側から見えるように配置され、前記弁作動棒が弁端部位置にあることを示すことを特徴とする、請求項３乃至６のいずれか一項に記載の、加熱装置のための切換弁の並進作動のための駆動装置。
【請求項８】
機械的位置インジケータが、ハウジングの外側から見えるように配置され、
前記クランク輪は、前記ハウジングの案内路に沿って前記機械的位置インジケータを移動させて、前記切換弁の前記弁作動棒が弁端部位置の一方に位置することを示す位置輪郭を有することを特徴とする、請求項５又は６に記載の、加熱装置のための切換弁の並進作動のための駆動装置。
【発明の詳細な説明】
【技術分野】
【０００１】
[0002]
本発明は、加熱装置のための切換弁のための方法及び駆動装置に関する。
【背景技術】
【０００２】
[0003]
主に、加熱装置のための切換弁として、主に２つの駆動の考え方による個々の異なる技術的解決手段の範囲全体が知られている。現在、下流歯車機構を有するリニアステッパモータ又は回転同期モータのいずれかを、加熱装置に好適に用いられている。リニアステッパ駆動装置の利点として、正確なステップ仕様に基づいた、切換弁の弁体の正確に規定可能且つ正確に調整可能な進行路が顕著である。ここで、切換プロセスの速度は、特定のステップ速度によって制御されるが、このステップ速度によって制限もされる。しかしながら、これらのリニアステッパ駆動装置の大きな欠点は、ステッパ駆動装置には、広範囲且つコストのかかる作動が必要なことである。
【０００３】
[0004]
この欠点には、電気モータの回転運動を切換弁の封止体の並進運動に変換する適当な下流歯車機構を備える回転駆動装置（主に同期モータ）を用いて対抗する。これらの回転駆動装置は、作動が簡単であるという利点を有するが、従来、力の伝達が一方向であった。これは、アクチュエータが、弁棒を一方向にしか押すことができないことを意味する。両弁端部位置において必要な封止力を得るため、回転駆動装置は、弁棒を弁座に押し込みながら、同時に、適当に設計された戻し部材に予備負荷をかけなければならない。このような構成のため、回転駆動装置は、少なくとも封止力の２倍に相当する力を加えなければならないように設計される。
【０００４】
[0005]
この駆動の変形例の別の欠点は、一般に、正確に規定された進行路を調整できないことである。更に、これらの駆動の解決手段の速度及び閉力は、進行路全体に亘って、制御可能でも一定でもない。
【０００５】
[0006]
特許文献１には、自立ケーシングで短小構造に設計される流体弁を作動させるための駆動装置が記載されている。この駆動装置は、その端部位置で非作動可能に構成される。駆動は、特別に構成された各カム輪郭を互いに抗して移動させることにより、回転運動から並進運動を発生させる回転同期モータによって行われる。しかしながら、カムフランクの互いの摺動によって、勾配が大きい場合、過剰な摩擦が生じ、このため、低エネルギ消費の利点が相殺されるので、この駆動装置は、小さい並進運動（比較的短い進行路）にしか適さない。この解決手段も、駆動装置が、その一方向の連結のため、封止力の２倍の力を加えなければならない、及び、一定速度且つ一定閉力で進行路全体を通過しなければならないという上述の欠点を含む。
【先行技術文献】
【特許文献】
【０００６】
【特許文献１】ＥＰ  ２  １２６  ４３１  Ｂ１
【発明の概要】
【発明が解決しようとする課題】
【０００７】
[0007]
したがって、加熱装置のための切換弁を作動させる新しい方法が望まれており、ここで、駆動装置は、構造的に非常に小さく設計されるように、更に、このような切換弁に対して十分な閉力を加えて、それぞれの弁位置で切換弁を確実且つ永久的に封止するように意図されている。また、駆動装置は、大きい調整進行路を実現し、且つ、連続的に作動する駆動装置にもかかわらず、進行路に亘って速度及び力の変化を可能にするとともに、簡単な作動及び動作を可能にすることが望ましい。
【課題を解決するための手段】
【０００８】
[0008]
したがって、本発明は、その一態様において、回転駆動部と、歯車機構と、各弁端部位置の前記駆動部を電気的に非作動にするためのスイッチとを備える駆動装置によって、加熱装置のための切換弁を並進作動させるための方法を提供するものであり、ここで、前記駆動装置は、前記切換弁の弁作動棒に対して、非直線移動時間運動及び／又は非直線移動力挙動を作用させる。
【０００９】
[0009]
前記駆動装置は、両方向力発生部として設計され、連結点によって、前記切換弁の前記弁作動棒に対して、両方向に、非直線移動時間運動又は非直線移動力挙動を作用させることが好ましい。
【００１０】
[0010]
第２の態様では、本発明は、回転駆動部と、歯車機構と、各弁端部位置の前記駆動部を電気的に非作動にするためのスイッチとを備える、加熱装置のための切換弁を並進作動させるための駆動装置を提供するものであり、ここで、前記回転駆動部、前記歯車機構、及び前記スイッチは、ベースに配置され、前記歯車機構は、回転運動を直線運動に変換して、前記回転駆動部の連続運動時に、前記歯車機構の並進移動出力によって、運動の両方向に、非直線移動時間運動及び／又は非直線移動力挙動を生じさせるように構成される。
【００１１】
[0011]
ばね部材が、前記歯車機構の各力の流れに配置されて、並進出力の連結点の位置が、弁作動棒からの反動力によって可変であるようになっていることが好ましい。
【００１２】
[0012]
回転運動を直線運動に変換するための前記歯車機構は、スライダ／クランク機構として構成され、前記回転駆動部によって、クランク輪が駆動され、前記弁作動棒は、ロッカアーム及び連結点によって並進移動され、前記ロッカアームの枢支点の位置は、力の作用としてばね部材によって可変であることが好ましい。
【００１３】
[0013]
代替例として、回転運動を直線運動に変換するための前記歯車機構は、スライダ／クランク機構として設計され、前記回転駆動部によって、クランク輪が駆動され、前記弁作動棒は、弾性ロッカアーム及び連結点によって並進移動される。
【００１４】
[0014]
代替例として、回転運動を直線運動に変換するための前記歯車機構は、カム機構として構成される。
【００１５】
[0015]
任意選択的に、回転運動を直線運動に変換するための前記歯車機構は、リンク機構として構成される。
【００１６】
[0016]
機械的位置インジケータが外側から見えるように配置され、前記弁作動棒が弁端部位置にあることを示すことが好ましい。
【００１７】
[0017]
任意選択的に、機械的位置インジケータが、ハウジングの外側から見えるように配置され、前記クランク輪は、前記ハウジングの案内路に沿って前記位置インジケータを移動させて、前記切換弁の前記弁作動棒が前記弁端部位置の一方に位置することを示す位置輪郭を有する。
【図面の簡単な説明】
【００１８】
[0019]
【図１】下部に示す切換弁の実施可能な一形態を有する駆動装置の外側を示す図である。
【図２】剛性ロッカアーム及びばね部材を有する歯車機構を備える駆動装置の構造を示す図である。
【図３】剛性ロッカアーム及びばね部材の代わりに、弾性ロッカアームを有するスライダ／クランク機構を備える駆動装置の構造を示す図である。
【図４ａ】位置インジケータが弁端部位置にある状態の駆動装置の構造を示す図である。
【図４ｂ】位置インジケータが中間弁位置にある状態の、図４ａの駆動装置の構造を示す図である。
【図５】カム機構を備える駆動装置の構造を示す図である。
【図６】リンク機構を備える駆動装置の構造を示す図である。
【発明を実施するための形態】
【００１９】
[0018]
ここで、添付図面の図を参照して、例示として本発明の好ましい実施形態を説明する。図において、複数の図に現れる同一の構造体、要素又は部品は、一般に、それらが現れる全ての図において同じ符号で表記される。図内に示される構成部品及び構造部の寸法は、一般に、便宜のため及び提示の明確さのために選択されたものであり、必ずしも縮尺通りではない。
【００２０】
[0026]
各弁端部位置の駆動部を電気的に非作動にした状態で、回転駆動部３と、歯車機構７とを備える、加熱装置用の駆動装置１によって、切換弁２を並進作動させるための本発明の方法は、駆動装置１が、革新的な方法で、切換弁２の弁作動棒４の直線作動部に対して、非直線移動時間運動及び／又は非直線移動力挙動を作用させるように構成される。これによって、切換弁２の弁作動棒４にもかかわらず、これに十分な閉力を加えることができ、また、弁体を、その端部位置に、確実に封止されるように配置して保持することができる。この用途では、確実な封止のため、両弁端部位置には、比較的大きな閉力が必要とされるが、これらの端部位置間の自由進行路に亘って、ほとんど力を必要としない。駆動装置は、２つの弁端部位置間では、できるだけ高速で弁体を移動させるが、進行路の最後の部分では、かなり減速した速度で進行して、各端部位置に移動する（各弁座に入る）。したがって、これによって、できるだけ高速の弁の切り換えを確実にし、同時に、加熱システムの液圧システムの望ましくない流れ状態を防止することができる。
【００２１】
[0027]
駆動装置１が両方向力発生部として構成され、連結点１２によって、切換弁２の弁作動棒４の直線作動部に対して、非直線移動時間運動又は非直線移動力挙動を作用させる場合、弁作動棒４は、エネルギをほとんど消費せずに移動できるだけでなく、低エネルギ入力にもかかわらず、その２つの端部位置に保持することもでき、同時に、連結弁体に必要な閉力が加えられて、切換弁２は、その２つの位置のいずれかで、確実に封止する。
【００２２】
[0028]
加熱装置のための並進作動切換弁２のための駆動装置１は、回転駆動部３によって作動され、歯車機構７と、各弁端部位置又は少なくとも歯車機構７の死点付近の駆動部を電気的に非作動にするためのスイッチ１９とを備える。歯車機構７は、回転駆動部３の連続運動時に、歯車機構７の並進移動出力が、両方向に、規定の非直線移動時間運動及び／又は非直線移動力挙動を有するように設計される。概略的に示すように、駆動装置１は、カバー５とベース６とを備えるハウジングを有し、ここに、回転運動を変換するための歯車機構７が配置され、駆動部を切り換えるためのスイッチ１９が設けられる。
【００２３】
[0029]
駆動装置１において、回転駆動部３と弁作動棒４の直線作動部との間に、ばね部材１４が配置される場合、弁体の封止の封止力及び耐密性を更に向上させることができる。
【００２４】
[0030]
回転運動を直線運動に変換するための歯車機構７は、スライダ／クランク機構１０として構成されることが好ましい。そこで、配置されたクランク輪１５が、回転駆動部３によって駆動され、弁作動棒４は、ロッカアーム１６及び連結点１２によって並進移動される。ロッカアーム１６の枢支点の位置は、力の作用として、クランク輪１５内に配置されるばね部材１４によって可変である。
【００２５】
[0031]
駆動装置１の変形例では、回転運動を直線運動に変換するための歯車機構７は、スライダ／クランク機構１０として構成することができる。そこで、クランク輪１５は、回転駆動部３によって駆動され、弁作動棒４は、ロッカアーム１６及び連結点１２によって並進移動される。ここでも、ばね部材１４は、クランク輪１５内に配置されて、ロッカアーム１６の枢支点の位置が、力の作用として可変であるように構成される。
【００２６】
[0032]
若干修正した変形例では、回転運動を直線運動に変換するための歯車機構７がスライダ／クランク機構１０として設計される場合、クランク輪１５が、回転駆動部３によって駆動され、弁作動棒４が、弾性ロッカアーム１７及び連結点１２によって並進移動されることも可能である。この実施形態では、弾性ロッカアームによって、ばね部材の作用が付与される。
【００２７】
[0033]
代替例として、駆動装置１の回転運動を、切換弁２を並進作動させるための直線運動に変換するための歯車機構７は、カム機構９又はリンク機構８として設計することができ、例えば、平歯車及び数個の連結リンク１３の適当な配置によって、簡単に実施することができる。
【００２８】
[0034]
駆動装置１及び切換弁２の作動を監視するとともに、メンテナンス作業を容易にするため、切換弁２の弁体の位置を示す位置インジケータ２１が配置され、駆動装置１の外側から見えることが好ましい。
【００２９】
[0035]
図１は、その上部に、駆動装置１の外面図を示し、その下に、弁作動棒４によって作動される切換弁２の実施可能な一形態の外面図を示す。位置インジケータ２１は、駆動装置１のカバー５上で見えるので、切換弁２の弁体の位置を認識することができる。ハウジング内部の側面において、ベース６に、プラグ接続部２０が配置・固締されて、その内部が見える。ベース６の足部は、差込み留め具の一種を用いる簡単な方法で、切換弁２に連結できるように構成される。
【００３０】
[0036]
図２は、回転駆動部３の軸によって駆動されるスライダ／クランク機構１０（ここでは、挿置された平歯車機構）を備える駆動装置１の内部構造を示す。歯車機構７は、ベース６によって支持される。クランク輪１５は、平歯車に配置され、クランク輪１５を用いて、回転駆動部３をオン・オフに切り換えるためのスイッチ１９を作動させる。ばね部材１４は、クランク輪１５内に配置される。このばね部材１４は、クランク輪１５内部の一側面の固定点で支持される。ばね部材１４の他端では、剛性ロッカアーム１６を支持する軸受ジャーナルが、クランク輪１５内において半径方向に移動可能に案内される。
【００３１】
[0037]
ロッカアーム１６は、連結点１２で、連接棒軸受によって、弁作動棒４と連結される。この構造によって、回転駆動部３の被動軸の連続回転運動は、ロッカアーム１６のばね負荷による支持及び案内によって、弁作動棒４を介して、切換弁２の弁体に対して、両方向並進運動だけでなく、非直線移動時間運動及び／又は非直線移動力挙動も作用させることができる。回転駆動部３がオフに切り換えられた後、常に、一定の閉力が弁体に作用して、切換弁の確実な封止を確保することができる。駆動部３をスイッチ１９と接続するための関連の配線及び回路、また、適応可能な場合は、任意の電気部品が、配線基板１８に配置される。
【００３２】
[0038]
図３は、ばね部材の代わりに、弾性ロッカアーム１７を有するスライダ／クランク機構１０を備える駆動装置１の構造を示す。ここで、弾性ロッカアーム１７は、ばね部材の機能を呈する。弾性ロッカアーム１７は、クランク輪１５の軸受ジャーナルにしっかりと支持される。
【００３３】
[0039]
図４ａ及び図４ｂは、位置インジケータ２１の構造及び動作を示す。図４ａによる位置インジケータ２１の上部位置では、弁体は端部位置にある。位置インジケータ２１は、ハウジング内で案内される部材として簡単に設計され、弁体が端部位置にあるとき見えるように、カバー５を貫通して突出する。位置インジケータ２１は、位置輪郭２２に支持され、この輪郭によって強制移動される。図４ｂは、位置インジケータ２１の中間位置を示す。弁体は、中間位置にある。弁体は、更に駆動されると、弁作動棒４によって、第２の端部位置に移動し、位置インジケータ２１は上昇する。すなわち、位置インジケータ２１の見える部分が、カバー５を貫通して突出するので、読み易い。
【００３４】
[0040]
図５は、カムディスク１１と、弁作動棒４に力を伝達するためのタペット２３とを有するカム機構９を備える一実施形態における駆動装置１の実施可能な構造を示す。
【００３５】
[0041]
図６は、リンク機構８を備える駆動装置１の構造を示す。減速歯車と切換弁２の弁体を調整するための弁作動棒４との間に、数個の連結リンク１３が、力を伝達するために配置されて、回転駆動運動が、連結点１２の並進出力運動に変換されるようになっている。
【００３６】
[0042]
上記の技術的解決手段は、主に、大きさが異なる加熱装置用の種々の加熱回路に熱水を供給する切換弁のための駆動装置として利用可能である。
【００３７】
[0043]
本出願の説明及び請求項において、動詞「備える（comprise）」、「含む（include）」、「含む（contain）」及び「有する（have）」、並びにその変形形態は、説明する要素又は特徴の存在を規定するために包括的な意味で使用され、追加の要素又は特徴の存在を排除するものではない。
【００３８】
[0044]
明確にするために別個の実施形態に関連して説明されている本発明の特定の特徴は、１つの実施形態において組み合わせて提供してもよいものと理解される。逆に、簡潔にするために１つの実施形態に関連して説明されている本発明の種々の特徴を、個別に又はそれらを適当に組み合わせて提供してもよい。
【００３９】
[0045]
上記の実施形態は単なる例示であり、請求項に定義する本発明の範囲から逸脱することなく、他の様々な修正が可能であることは、当業者にとって明らかである。
【符号の説明】
【００４０】
１  駆動装置
２  切換弁
３  回転駆動部
４  弁作動棒
５  カバー
６  ベース
７  歯車機構
８  リンク機構
９  カム機構
１０  スライダ／クランク機構
１１  カムディスク
１２  連結点
１３  連結リンク
１４  ばね部材
１５  クランク輪
１６  剛性ロッカアーム
１７  弾性ロッカアーム
１８  配線基板
１９  スイッチ
２０  プラグ接続部
２１  位置インジケータ
２２  位置輪郭
２３  タペット
【図１】
0006744710.tif 000002
【図２】
0006744710.tif 000003
【図３】
0006744710.tif 000004
【図４ａ】
0006744710.tif 000005
【図４ｂ】
0006744710.tif 000006
【図５】
0006744710.tif 000007
【図６】
0006744710.tif 000008